Podtech/llm-jp-corpus-v4-ja_patent huggingface dataset:
【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
次式の繰返単位を有するポリマー組成物。
【化１】
2012527518.tif 000001
ここで、０≦ｘ，ｘ’，ｙ，ｚ≦１であり、ｘ＋ｘ’＋ｙ＋ｚ＝１であり、Ｒ１及びＲ２は（ＣＨ２）ｎＣＨ３であり（ｎ＝０〜８）、Ｒ３及びＲ４は（ＣＨ２）ｎＣＯＯＨであり（ｎ＝０〜８）、Ｒ５及びＲ６は、Ｈ、ＣＯＯＨ、およびＣＯＯＣＨ３の任意の組み合わせである。
【請求項２】
次式の繰返単位を有する請求項１に記載のポリマー組成物。
【化２】
2012527518.tif 000002
【請求項３】
次式の繰返単位を有する請求項１に記載のポリマー組成物。
【化３】
2012527518.tif 000003
【請求項４】
ｘ＝０、ｘ’およびｙは各々＞０、かつｚ＜１であり、ｘ’＋ｙ＋ｚ＝１であり、Ｒ３及びＲ４は（ＣＨ２）ｎＣＯＯＨであり（ｎ＝０〜８）、Ｒ５及びＲ６は、Ｈ、ＣＯＯＨ、およびＣＯＯＣＨ３の任意の組み合わせである、請求項１に記載のポリマー組成物。
【請求項５】
次式の導電性ポリマーバインダと混合された１つ以上のマイクロメートルサイズまたはナノサイズのシリコン粒子を含むポリマー複合材料。
【化４】
2012527518.tif 000004
ここで、０≦ｘ，ｘ’，ｙ，ｚ≦１であり、ｘ＋ｘ’＋ｙ＋ｚ＝１であり、Ｒ１及びＲ２は（ＣＨ２）ｎＣＨ３であり（ｎ＝０〜８）、Ｒ３及びＲ４は（ＣＨ２）ｎＣＯＯＨであり（ｎ＝０〜８）、Ｒ５及びＲ６は、Ｈ、ＣＯＯＨ、およびＣＯＯＣＨ３の任意の組み合わせである。
【請求項６】
次式の繰返単位を有する請求項５に記載のポリマー複合材料。
【化５】
2012527518.tif 000005
【請求項７】
次式の繰返単位を有する請求項５に記載のポリマー複合材料。
【化６】
2012527518.tif 000006
【請求項８】
ｘ＝０、ｘ’およびｙは各々＞０、かつｚ＜１であり、ｘ’＋ｙ＋ｚ＝１であり、Ｒ３及びＲ４は（ＣＨ２）ｎＣＯＯＨであり（ｎ＝０〜８）、Ｒ５及びＲ６は、Ｈ、ＣＯＯＨ、およびＣＯＯＣＨ３の任意の組み合わせである、請求項５に記載のポリマー複合材料。
【請求項９】
リチウムイオン電池において使用されるシリコン電極を製造する方法であって、
ａ）溶媒と次式の導電性ポリマーとからなる溶液を形成する工程と、
【化７】
2012527518.tif 000007
（ここで、０≦ｘ，ｘ’，ｙ，ｚ≦１であり、ｘ＋ｘ’＋ｙ＋ｚ＝１であり、Ｒ１及びＲ２は（ＣＨ２）ｎＣＨ３であり（ｎ＝０〜８）、Ｒ３及びＲ４は（ＣＨ２）ｎＣＯＯＨであり（ｎ＝０〜８）、Ｒ５及びＲ６は、Ｈ、ＣＯＯＨ、およびＣＯＯＣＨ３の任意の組み合わせである。）
ｂ）該溶液にシリコンのマイクロまたはナノ粒子を添加してスラリーを形成する工程と
、
ｃ）スラリーを混合して均一な混合物を形成する工程と、
ｄ）得られた前記混合物の薄膜を堆積させて基板上に混合物を得る工程と、
ｅ）得られた複合材料を乾燥させてシリコン電極を形成する工程と、を備える方法。
【請求項１０】
基板は銅及びアルミニウムから選択される、請求項９に記載の方法。
【請求項１１】
前記導電性ポリマーは次式を有する請求項９に記載の方法。
【化８】
2012527518.tif 000008
【請求項１２】
前記導電性ポリマーは次式を有する請求項９に記載の方法。
【化９】
2012527518.tif 000009
【請求項１３】
ｘ＝０、ｘ’およびｙは各々＞０、かつｚ＜１であり、ｘ’＋ｙ＋ｚ＝１であり、Ｒ３及びＲ４は（ＣＨ２）ｎＣＯＯＨであり（ｎ＝０〜８）、Ｒ５及びＲ６は、Ｈ、ＣＯＯＨ、およびＣＯＯＣＨ３の任意の組み合わせである、請求項９に記載の方法。
【請求項１４】
次式の繰返単位を有する導電性ポリマーバインダを組み込むシリコン電極を有するリチウムイオン電池。
【化１０】
2012527518.tif 000010
ここで、０≦ｘ，ｘ’，ｙ，ｚ≦１であり、ｘ＋ｘ’＋ｙ＋ｚ＝１であり、Ｒ１及びＲ２は（ＣＨ２）ｎＣＨ３であり（ｎ＝０〜８）、Ｒ３及びＲ４は（ＣＨ２）ｎＣＯＯＨであり（ｎ＝０〜８）、Ｒ５及びＲ６は、Ｈ、ＣＯＯＨ、およびＣＯＯＣＨ３の任意の組み合わせである。
【請求項１５】
前記繰返単位は次式から選択され、
【化１１】
2012527518.tif 000011
ｘ＝０、ｘ’およびｙは各々＞０、かつｚ＜１であり、ｘ’＋ｙ＋ｚ＝１であり、Ｒ３及びＲ４は（ＣＨ２）ｎＣＯＯＨであり（ｎ＝０〜８）、Ｒ５及びＲ６は、Ｈ、ＣＯＯＨ、およびＣＯＯＣＨ３の任意の組み合わせである、請求項１４に記載のリチウムイオン電池。
【手続補正書】
【提出日】平成25年6月18日(2013.6.18)
【手続補正１】
【補正対象書類名】特許請求の範囲
【補正対象項目名】全文
【補正方法】変更
【補正の内容】
【特許請求の範囲】
【請求項１】
船舶用リムドライブ・プロペラユニットを備える軸受装置であって、前記プロペラユニットは、外部静止ケーシング（１）と、前記外部静止ケーシングに装着され、複数のプロペラ羽根（３）を含む回転ロータハウジング（２）とを備える、軸受装置であって、
前記軸受装置は、前記回転ロータハウジング（２）の全外周に配設された少なくとも１組の永久磁石（４）を備え、
前記永久磁石（４）は、前記外部静止ケーシング（１）の内周の全域または一部に配設された少なくとも１組の永久磁石（４）から影響を受け、
前記永久磁石（４）の表面は、軸受材料（９）により被覆されていることを特徴とする軸受装置。
【請求項２】
前記回転ロータハウジング（２）の外周に配設された永久磁石（４）と、前記外部静止ケーシング（１）の内周の全域または一部に配設された永久磁石（４）とは、同じ極性であることを特徴とする請求項１に記載の軸受装置。
【請求項３】
プロペラユニットを装着したときの前記回転ロータハウジング（２）の頂点の位置を０度と定義した場合の前記外部静止ケーシング（１）の内周の１４５度から２１５度の区域に、前記回転ロータハウジング（２）の外周に配設されている永久磁石（４）と同じ極性を有する永久磁石（４）が配設されていることを特徴とする請求項２に記載の軸受装置。
【請求項４】
プロペラユニットを装着したときの前記回転ロータハウジング（２）の頂点の位置を０度と定義した場合の前記外部静止ケーシング（１）の内周の３５度から３２５度の区域に、前記ロータハウジング（２）全体の外周に配設された永久磁石（４）の極性と異なる極性の永久磁石（４）が配設されていることを特徴とする請求項２に記載の軸受装置。
【請求項５】
永久磁石（４）の組が複数の個別の永久磁石ユニットで構成されていることを特徴とする請求項１乃至請求項４のいずれか１項に記載の軸受装置。
【請求項６】
永久磁石（４）の組が、１つの永久磁石で構成されていることを特徴とする請求項１乃至請求項４のいずれか１項に記載の軸受装置。
【請求項７】
前記永久磁石（４）の相対する面に、軸受材料（９）が設けられていることを特徴とする請求項１に記載の軸受装置。
【請求項８】
前記軸受材料（９）が、前記永久磁石の側面に設けられていることを特徴とする請求項１または請求項６に記載の軸受装置。
【請求項９】
前記回転ロータハウジング（２）の外周の永久磁石（４）の組と前記外部静止ケーシング（１）の内周の永久磁石（４）の組とは、プロペラユニットを装着した位置では相互に上下に配設されることを特徴とする請求項１に記載の軸受装置。
【請求項１０】
前記回転ロータハウジング（２）の外周の永久磁石（４）の組と前記外部静止ケーシング（１）の内周の永久磁石（４）の組とは、プロペラユニットを装着した位置では相互に横方向にずれていることを特徴とする請求項１に記載の軸受装置。
【請求項１１】
前記永久磁石（４）が、前記外部静止ケーシング（１）および前記回転ロータハウジング（２）の軸方向の全域に配設されていることを特徴とする請求項１または請求項８に記載の軸受装置。
【請求項１２】
前記回転ロータハウジング（２）に配設された永久磁石（４）と前記外部静止ケーシング（１）に配設された永久磁石（４）とは、前記永久磁石の断面で見たときに同じ厚さを有していることを特徴とする請求項１に記載の軸受装置。
【手続補正書】
【提出日】平成25年5月16日(2013.5.16)
【手続補正１】
【補正対象書類名】特許請求の範囲
【補正対象項目名】全文
【補正方法】変更
【補正の内容】
【特許請求の範囲】
【請求項１】
プリオン病に罹患したヒト以外の対象動物を治療する方法であって、前記方法が、治療的に有効な量のRAPポリペプチドを前記ヒト以外の対象動物に投与する工程を含む、前記治療方法。
【請求項２】
プリオン病が、多様な形態のクロイツフェルト-ヤコブ病（CJD）、医原性クロイツフェルト-ヤコブ病（iCJD）、変種クロイツフェルト-ヤコブ病（vCJD）、家族性クロイツフェルト-ヤコブ病（fCJD）、散発性クロイツフェルト-ヤコブ病（sCJD）、ゲルシュトマン-シュトロイスラー-シャインカー症候群（GSS）；致死性不眠症、家族性（FFI）または散発性クールー；スクラピー；ウシ海綿状脳症（BSE）；伝染性ミンク脳症（TME）；慢性るい痩（CWD）；ネコ海綿状脳症；および外来有帝類脳症（EUE）から成る群から選択される、請求項１に記載の方法。
【請求項３】
対象動物が、ヒツジ、ヤギ、ウシ、ミンク、白尾を有するシカ、ヘラジカ、ミュールジカ、ムース、ネコ、ナイアラ、ゲムズボック、ナガツノレイヨウ、オオカモシカ、クーズー、アンコール、およびバイソンから成る群から選択される哺乳動物である、請求項１に記載の方法。
【請求項４】
RAPポリペプチドが以下から成る群から選択される、請求項１に記載の方法：
a）配列番号：1のアミノ酸35−357を含むポリペプチド；
b）配列番号：1のアミノ酸35−357と90％から100％の配列同一性を有するアミノ酸配列を含むポリペプチド；
c）配列番号：2、配列番号：3、配列番号：4、配列番号：5、配列番号：6または配列番号：7のアミノ酸配列を含むポリペプチド；および
d）前記の組合せ。
【請求項５】
RAPポリペプチドが配列番号：1のアミノ酸35−357を含む、請求項４に記載の方法。
【請求項６】
投与態様が経鼻である、請求項１に記載の方法。
【請求項７】
薬剤が、前記ヒト以外の対象動物へ投与する前に水性ビヒクルと調合される、請求項６に記載の方法。
【請求項８】
約0.01ng/cm3から約10,000ng/cm3の薬剤のin vivo血漿濃度を達成するようにRAP薬剤が投与される、請求項１に記載の方法。
【請求項９】
約0.01ng/cm3から約1,000ng/cm3の薬剤のin vivo血漿濃度を達成するようにRAP薬剤が投与される、請求項１に記載の方法。
【請求項１０】
RAPポリペプチドが、約0.01から約100mg/kg体重/日の用量で前記ヒト以外の対象動物に投与される、請求項１に記載の方法。
【請求項１１】
RAPポリペプチドが、約30mg/kg体重/日の用量で前記ヒト以外の対象動物に投与される、請求項１に記載の方法。
【請求項１２】
治療的に有効な量のRAPポリペプチドを含む医薬処方物。
【請求項１３】
前記医薬処方物がプリオン病の治療用である、請求項12に記載の処方物。
【請求項１４】
プリオン病が、多様な形態のクロイツフェルト-ヤコブ病（CJD）、医原性クロイツフェルト-ヤコブ病（iCJD）、変種クロイツフェルト-ヤコブ病（vCJD）、家族性クロイツフェルト-ヤコブ病（fCJD）、散発性クロイツフェルト-ヤコブ病（sCJD）、ゲルシュトマン-シュトロイスラー-シャインカー症候群（GSS）；致死性不眠症、家族性（FFI）または散発性クールー；スクラピー；ウシ海綿状脳症（BSE）；伝染性ミンク脳症（TME）；慢性るい痩（CWD）；ネコ海綿状脳症；および外来有帝類脳症（EUE）から成る群から選択される、請求項13に記載の処方物。
【請求項１５】
担体および医薬的に許容できる賦形剤を更に含む、請求項12〜14のいずれか１項に記載の処方物。
【請求項１６】
担体が水性液担体である、請求項15に記載の処方物。
【請求項１７】
RAPポリペプチドが以下から成る群から選択される、請求項12〜16のいずれか１項に記載の処方物：
a）配列番号：1のアミノ酸35−357を含むポリペプチド；
b）配列番号：1のアミノ酸35−357と70％から100％の配列同一性を有するアミノ酸配列を含むポリペプチド；
c）配列番号：2、配列番号：3、配列番号：4、配列番号：5、配列番号：6または配列番号：7のアミノ酸配列を含むポリペプチド；および
d）前記の組合せ。
【請求項１８】
RAPポリペプチドが配列番号：1のアミノ酸35−357を含む、請求項12〜16のいずれか１項に記載の処方物。
【請求項１９】
RAPポリペプチドが配列番号：1のアミノ酸35−357から成る、請求項12〜16のいずれか１項に記載の処方物。
【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
くる病、骨粗鬆症、骨軟化症、乾癬、自己免疫疾患、例えば多発性硬化症など、又はＩ型糖尿病、副甲状腺機能亢進症、良性前立腺肥大、任意の種類の癌、又は任意のビタミンＤに関連する疾患を治療及び／又は予防するためのイネカルシトールを含む医薬組成物であって、前記医薬組成物が、１．５ｍｇから１００ｍｇの間で含まれる用量でのイネカルシトールの投与に適している、医薬組成物。
【請求項２】
前記投与用量が、１．５ｍｇから２０ｍｇの間で含まれる、請求項１に記載の医薬組成物。
【請求項３】
治療される患者において、上昇したカルシウム血を同時に誘導しない、請求項１又は２に記載の医薬組成物。
【請求項４】
３日ごと、１日おき（ｑｏｄ）、１日に１回（ｑｄ）、１日に２回（ｂｉｄ）、及び１日に３回（ｔｉｄ）から選択される頻度での、前記用量のイネカルシトールの投与に適している、請求項１〜３のいずれか一項に記載の医薬組成物。
【請求項５】
１日おき、１日に１回、１日に２回から選択される頻度での、前記用量のイネカルシトールの投与に適している、請求項１〜４のいずれか一項に記載の医薬組成物。
【請求項６】
前記投与が、抗骨粗鬆症剤、免疫調節剤、抗炎症剤、抗乾癬剤、抗ホルモン剤、抗増殖剤及び抗癌剤から選択される一つ又はそれ以上のさらなる活性成分の投与をさらに含む、請求項１〜５のいずれか一項に記載の医薬組成物。
【請求項７】
イネカルシトールが経口経路により投与される、請求項１〜６のいずれか一項に記載の医薬組成物。
【請求項８】
癌、腫瘍、又は白血病を治療するための、請求項１〜７のいずれか一項に記載の医薬組成物。
【請求項９】
乾癬を治療するための、請求項１〜７のいずれか一項に記載の医薬組成物。
【請求項１０】
多発性硬化症を治療するための、請求項１〜７のいずれか一項に記載の医薬組成物。
【請求項１１】
副甲状腺機能亢進症を治療するための、請求項１〜７のいずれか一項に記載の医薬組成物。
【請求項１２】
良性前立腺肥大を治療するための、請求項１〜７のいずれか一項に記載の医薬組成物。
【手続補正書】
【提出日】平成25年4月30日(2013.4.30)
【手続補正１】
【補正対象書類名】特許請求の範囲
【補正対象項目名】全文
【補正方法】変更
【補正の内容】
【特許請求の範囲】
【請求項１】
脂肪アルコールを製造するための方法であって、
ａ）少なくとも１種の脂肪酸トリグリセリドを含む流れを供給する工程、
ｂ）脂肪酸トリグリセリドを含む流れを、銅を含む不均一触媒の存在下に水素化処理する工程、
ｃ）少なくとも１つの脂肪アルコール−含有部分を、工程ｂ）で得られた水素化生成物から分離する工程、
を含み、及び銅、アルミニウム、及びランタンを含む触媒が、工程ｂ）での水素化のために使用されることを特徴とする脂肪アルコールを製造するための方法。
【請求項２】
工程ａ）で、少なくとも１種の天然脂肪、及び／又は少なくとも１種の天然油を含む流れが供給されることを特徴とする請求項１に記載の方法。
【請求項３】
組成（ＣｕＯ）０．６〜０．８（Ａｌ２Ｏ３）０．１〜０．３４（Ｌａ２Ｏ３）０．０２〜０．２の酸化物材料を含むか、又はこのような酸化物材料から成る触媒が、工程ｂ）で水素化処理のために使用されることを特徴とする請求項１又は２の何れか１項に記載の方法。
【請求項４】
工程ｂ）での水素化処理が、１００〜３２０℃の範囲、好ましくは１５０〜２７０℃の範囲、特に１８０〜２３０℃の範囲の温度で行われることを特徴とする請求項１〜３の何れか１項に記載の方法。
【請求項５】
工程ｂ）での水素化処理が、１００〜３２５バールの範囲、好ましくは１５０〜３００バールの範囲、特に１８０〜２３０バールの範囲の圧力で行われることを特徴とする請求項１〜４の何れか１項に記載の方法。
【請求項６】
工程ｂ）での水素化処理が連続的であることを特徴とする請求項１〜５の何れか１項に記載の方法。
【請求項７】
工程ｂ）での水素化が、順次連結されたｎ個の水素化反応器内で行われ、ｎが少なくともの２の整数であることを特徴とする請求項１〜６の何れか１項に記載の方法。
【請求項８】
ｎが２又は３の整数であることを特徴とする請求項７に記載の方法。
【請求項９】
工程ｂ）での水素化が、順次連結されたｎ個の水素化反応器内で行われ、ｎが少なくともの２の整数であり、及び第１番目から（ｎ−１）番目までの反応器は、外部循環系内に結合された反応領域からの流れを所有することを特徴とする請求項７又は８の何れかに記載の方法。
【請求項１０】
工程ｂ）での水素化が、順次連結されたｎ個の水素化反応器内で行われ、ｎが少なくともの２の整数であり、及び第ｎ番目の反応器内での反応が、断熱的に行なわれることを特徴とする請求項７〜９の何れか１項に記載の方法。
【請求項１１】
工程ｂ）での水素化が、順次連結されたｎ個の水素化反応器内で行われ、ｎが少なくともの２の整数であり、及び第ｎ番目の反応器が、まっすぐな通路内で運転されることを特徴とする請求項７〜１０の何れか１項に記載の方法。
【請求項１２】
水素が、第１の反応器内にのみ供給されることを特徴とする請求項７〜１１の何れか１項に記載の方法。
【請求項１３】
追加的に、工程ｃ）で、１,２−プロパンジオールを含む流れが水素化処理の生成物から分離されることを特徴とする請求項１〜１２の何れか１項に記載の方法。
【手続補正２】
【補正対象書類名】明細書
【補正対象項目名】０００１
【補正方法】変更
【補正の内容】
【０００１】
本発明は、少なくとも１種の脂肪酸トリグリセリドを含む流れが供給され、そしてこの流れが銅を含む不均一触媒（不均一銅触媒）の存在下に水素化処理される、脂肪アルコールを製造する方法に関する。
【手続補正３】
【補正対象書類名】明細書
【補正対象項目名】０００３
【補正方法】変更
【補正の内容】
【０００３】
１,２−プロパンジオールを製造するためにグリセロールを水素化することが、銅を含む不均一触媒（不均一銅触媒）の存在下に行なわれ得ることが公知である。このような方法は、例えば特許文献１（ＷＯ２００７／０９９１６１）、特許文献２（ＷＯ２００９／０２７５００）、特許文献３（ＷＯ２００９／０２７５０１）及び特許文献４（ＷＯ２００９／０２７５０２）に記載されている。
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
黄色ブドウ球菌エピトープに対する抗体またはそれらのフラグメントであって、該エピトープが、DSM ACC2987またはDSM ACC2988の受託番号のもとにＤＳＭＺに寄託されたハイブリドーマ細胞株によって分泌されるさらなるモノクローナル抗体によって認識され、各抗体が、第一の可変領域を有する重鎖および第二の可変領域を有する軽鎖を有し、
ハイブリドーマ細胞株がDSM ACC2987であって、
該第一の可変領域が、配列番号２の配列と少なくとも９０％同一のアミノ酸配列を包含し、該第二の可変領域が、配列番号４の配列と少なくとも９０％同一のアミノ酸配列を包含する、または
ハイブリドーマ細胞株がDSM ACC2988であって、
該第一の可変領域が、配列番号６の配列と少なくとも９０％同一のアミノ酸配列を包含し、該第二の可変領域が、配列番号８の配列と少なくとも９０％同一のアミノ酸配列を包含する、前記抗体またはそれらのフラグメント。
【請求項２】
抗体が、モノクローナル抗体である、請求項１に記載の抗体またはフラグメント。
【請求項３】
モノクローナル抗体またはさらなるモノクローナル抗体が、ＩｇＧ型の抗体である、請求項２に記載の抗体。
【請求項４】
フラグメントが、Ｆａｂフラグメント、Ｆａｂ／ｃフラグメント、Ｆｖフラグメント、Ｆａｂ’フラグメントまたはＦ（ａｂ’）２フラグメントである、請求項１〜３のいずれか一項に記載のフラグメント。
【請求項５】
抗体が、動物の抗体、ヒト抗体、植物、卵または真菌で生産される抗体、細胞株の細胞で生産される組み換え抗体、キメラ抗体、またはヒト化抗体である、請求項１〜４のいずれか一項に記載の抗体またはフラグメント。
【請求項６】
各抗体が、第一の可変領域を有する重鎖および第二の可変領域を有する軽鎖を有し、
ハイブリドーマ細胞株がDSM ACC2987であって、
該第一の可変領域が、配列番号２の配列と少なくとも９２．５％同一のアミノ酸配列を包含し、該第二の可変領域が、配列番号４の配列と少なくとも９２．５％同一のアミノ酸配列を包含する、または
ハイブリドーマ細胞株がDSM ACC2988であって、
該第一の可変領域が、配列番号６の配列と少なくとも９２．５％同一のアミノ酸配列を包含し、該第二の可変領域が、配列番号８の配列と少なくとも９２．５％のアミノ酸配列を包含する、
請求項１〜５のいずれか一項に記載の抗体またはフラグメント。
【請求項７】
ハイブリドーマ細胞株がDSM ACC2987であって、エピトープが、配列番号１５、１７〜１９、２１〜２６、３２〜３４および５７の配列の１つを有するアミノ酸と、少なくとも１０のアミノ酸において同一のアミノ酸配列を少なくとも１包含する、請求項１〜６のいずれか一項に記載の抗体またはフラグメント。
【請求項８】
薬剤として用いる、請求項１〜７のいずれか一項に記載の抗体またはフラグメントを含む組成物。
【請求項９】
薬剤が、黄色ブドウ球菌の感染、とくにメチシリン耐性またはメチシリン感受性の黄色ブドウ球菌の感染を有するヒトまたは動物の処置に用いられる、請求項８に記載の抗体またはフラグメントを含む組成物。
【請求項１０】
ヒトまたは動物が、感染が原因による乳腺炎または敗血症を有する、請求項９に記載の抗体またはフラグメントを含む組成物。
【請求項１１】
抗体またはフラグメントが、黄色ブドウ球菌の少なくとも１の追加的なエピトープに対する他の抗体またはこれら他の抗体のフラグメントとの混合物中に存在する、請求項８〜１０のいずれか一項に記載の抗体またはフラグメントを含む組成物。
【請求項１２】
抗体またはフラグメントが、少なくとも１の抗生物質との混合物中に存在する、請求項８〜１１のいずれか一項に記載の抗体またはフラグメントを含む組成物。
【請求項１３】
抗体またはフラグメントが、哺乳動物の血漿との混合物中に存在する、請求項８〜１２のいずれか一項に記載の抗体またはフラグメントを含む組成物。
【請求項１４】
薬剤が、全身および／または局所適用のための薬剤である、請求項８〜１３のいずれか一項に記載の抗体またはフラグメントを含む組成物。
【請求項１５】
黄色ブドウ球菌の検出のための請求項１〜７のいずれか一項に記載する抗体またはフラグメントを含む、キット。
【請求項１６】
黄色ブドウ球菌の検出のための請求項１〜７のいずれか一項に記載する抗体またはフラグメントの使用。
【請求項１７】
請求項１〜７のいずれか一項に記載する抗体を生産する、ハイブリドーマ生産株。
【請求項１８】
ハイブリドーマ細胞株が、DSM ACC2987またはDSM ACC2988の受託番号のもとにＤＭＳＺに寄託された細胞株である、請求項１７に記載のハイブリドーマ細胞株。
【請求項１９】
動物（ヒトを除く）の処置方法であって、動物（ヒトを除く）が、黄色ブドウ球菌の感染、とくにメチシリン耐性またはメチシリン感受性の黄色ブドウ球菌の感染を有するか、または該感染を受けるリスクがあり、請求項１〜７のいずれか一項に記載の抗体またはフラグメントを該動物（ヒトを除く）に投与する、前記方法。
【請求項２０】
動物（ヒトを除く）が、感染が原因による乳腺炎または敗血症を有する、請求項１９に記載の方法。
【請求項２１】
抗体またはフラグメントが、黄色ブドウ球菌の少なくとも１の追加的なエピトープに対する他の抗体またはこれら他の抗体のフラグメントとの混合物中に存在する、請求項１９または２０に記載の方法。
【請求項２２】
抗体またはフラグメントが、投与される前に、哺乳動物の血漿との混合物中に存在する、請求項１９〜２１のいずれか一項に記載の方法。
【請求項２３】
抗体またはフラグメントが、全身的に投与される、請求項１９〜２２のいずれか一項に記載の方法。
【請求項２４】
抗体またはフラグメントが、少なくとも１の抗生物質とともに投与される、請求項１９〜２３のいずれか一項に記載の方法。
【手続補正書】
【提出日】平成25年2月20日(2013.2.20)
【手続補正１】
【補正対象書類名】特許請求の範囲
【補正対象項目名】全文
【補正方法】変更
【補正の内容】
【特許請求の範囲】
【請求項１】
グリシン−Ｎ，Ｎ−二酢酸の１種以上の誘導体および／またはグルタミン−Ｎ，Ｎ−二酢酸の１種以上の誘導体を含む、結晶化度が３０％以上である粉末を調製するための方法であって、
前記グリシン−Ｎ，Ｎ−二酢酸の１種以上の誘導体および／あるいは前記グルタミン−Ｎ，Ｎ−二酢酸の１種以上の誘導体を水溶液の総質量に基づいて２０質量％〜６０質量％の濃度範囲で含む水溶液から開始し、
前記水溶液は、回転する内部構造物を有するエバポレータ（ただし、前記回転する内部構造物は、エバポレータの内壁に対する距離がエバポレータの直径の１％以下で配置される）で第１の工程において濃縮され、固形物濃度が結晶スラリーの総重量に基づいて６０質量％〜８５質量％の範囲にある結晶スラリーを得、かつ
第２の工程において、前記結晶スラリーがペーストバンカーにおいて、およびその後、薄膜接触乾燥機において熟成させられ、前記ペーストバンカーおよび前記薄膜接触乾燥機における滞留時間が合計で１５分以上であることを特徴とする方法。
【請求項２】
前記回転する内部構造物が前記エバポレータの内壁表面をこする請求項１に記載の方法。
【請求項３】
メチルグリシン−Ｎ，Ｎ−二酢酸の１種以上のアルカリ金属塩がグリシン−Ｎ，Ｎ−二酢酸の誘導体として使用される請求項１または２に記載の方法。
【請求項４】
前記水溶液が、それぞれの場合において乾燥物に基づいて８４質量％以上の純度での前記グリシン−Ｎ，Ｎ−二酢酸および／またはグルタミン−Ｎ，Ｎ−二酢酸の１種以上の誘導体を含む請求項１〜３のいずれか一項に記載の方法。
【請求項５】
前記グリシン−Ｎ，Ｎ−二酢酸および／またはグルタミン−Ｎ，Ｎ−二酢酸の１種以上の誘導体が、下記式：
【化１】
2012527426.tif 000001
の対応する２−アルキルグリシンもしくは２−アルケニルグリシンまたは２−アルキルグリシンニトリルもしくは２−アルケニルグリシンニトリルまたは二重グリシン、
あるいは下記式：
【化２】
2012527426.tif 000002
で表される二重グリシンニトリルをホルムアルデヒドおよびシアン化水素またはアルカリ金属シアン化物と反応し、あるいは
イミノ二酢酸またはイミノジアセトニトリルを式：ＯＨＣ−Ａ−ＣＨＯの対応するモノアルデヒドまたはジアルデヒドおよびシアン化水素またはアルカリ金属シアン化物と反応し、
その後、なお存在するニトリル基を加水分解し、カルボキシル基を得ることによって調製される請求項４に記載の方法。
【請求項６】
前記グリシン−Ｎ，Ｎ−二酢酸および／またはグルタミン−Ｎ，Ｎ−二酢酸の１種以上の誘導体を含む水溶液が、前記回転する内部構造物を有するエバポレータに２０℃〜９０℃の間の範囲における温度で導入される請求項１〜５のいずれか一項に記載の方法。
【請求項７】
前記回転する内部構造物を有するエバポレータが、Ｓａｍｂａｙ（登録商標）エバポレータである請求項１〜６のいずれか一項に記載の方法。
【請求項８】
前記ペーストバンカーおよび前記薄膜接触乾燥機における滞留時間の総和が合計で１５分〜１時間の範囲にあり、好ましくは１５分〜３時間の範囲にある請求項１〜７のいずれか一項に記載の方法。
【請求項９】
前記回転する内部構造物を有するエバポレータが、５０℃〜１４０℃の範囲における温度で、好ましくは８０℃〜１１０℃の範囲における温度で、かつ、０．１ｂａｒ（絶対）〜４ｂａｒ（絶対）の範囲における圧力で、好ましくは０．８ｂａｒ（絶対）〜１．２ｂａｒ（絶対）の圧力で運転される請求項１〜８のいずれか一項に記載の方法。
【請求項１０】
前記第１の工程からの前記結晶スラリーに加えて、結晶スラリーおよび微細粉末の総質量に基づいて５０質量％以下の、平均粒子サイズが２００μｍ以下である微細粉末が、前記ペーストバンカーに加えられる請求項１〜９のいずれか一項に記載の方法。
【請求項１１】
前記薄膜接触乾燥機が６０℃〜１４０℃の間の範囲における温度で運転される、請求項１〜１０のいずれか一項に記載の方法。
【請求項１２】
Ｂｒｕｋｅｒ ＡＸＳ社製のＤ８ Ａｄｖａｎｃｅ（登録商標）回折計で、０．０１°のステップ幅および３．６秒の測定時間／角度ステップによる２°〜８０°の測定範囲で、一次側および二次側での可変ダイアフラム調節とともにＣｕ−Ｋα線により測定されるそれぞれの場合において、
下記の表に示される回折角２θ（°）におけるｄ値（オングストローム）を有する第１の結晶性変態：
【表１】
2012527426.tif 000003
を含むか、または、上記定義に相当する第１の結晶性変態、および、Ｘ線粉末回折図において、それぞれの回折角２θ（°）におけるｄ値（オングストローム）が、下記表と一致する第２の結晶性変態：
【表２】
2012527426.tif 000004
を含むことを特徴とする結晶化度が３０％以上であるメチルグリシン−Ｎ，Ｎ−二酢酸三ナトリウム塩粉末。
【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
母動物の子孫における感染性疾患、炎症性疾患、胃腸性疾患、または免疫性介在疾患を防ぎ、または治療する使用のための、別々にまたは組み合わせにて作用する少なくとも１つのグルカン、少なくとも１つのフカン、または少なくとも１つのグルカンおよび少なくとも１つのフカンを含み、前記子孫への直接の投与により得られるレベルと等しいレベルに達することを含む組成物であって、前記使用は、前記母動物への前記組成物の食事介入の投与を含む、健康および働きを促進する組成物。
【請求項２】
前記少なくとも１つのグルカンは、ベータグルカン、任意選択で（１→３、１→６）グルカンであり、および任意選択で前記少なくとも１つのグルカンはラミナリンであり、および任意選択で前記少なくとも１つのフカンはアルファフカン、任意選択でフコイダンである、請求項１に記載の使用のための組成物。
【請求項３】
前記少なくとも１つのグルカンおよび／もしくは前記少なくとも１つのフカンは、褐藻綱の大型褐藻類から単離され、任意選択でコンブ科、ヒバマタ科、およびカジメ科のうち少なくとも１つに由来し、任意に、アスコフィルム種、ラミナリア種、もしくはホンダワラ種のうち少なくとも１つから選択され、もしくは紅藻類（ｒｅｄ  ａｌｇａ）に由来し、任意に真正紅藻綱から選択され、もしくは前記少なくとも１つのグルカンは、真菌、任意選択で酵母および任意選択で出芽酵母由来である、請求項１または請求項２に記載の使用のための組成物。
【請求項４】
前記組成物が、周産期、出生前、および／または出生後、前記母動物に投与される、請求項１から３のいずれか１項に記載の組成物。
【請求項５】
前記組成物が、任意選択で毎日、前記母動物に規則的な間隔にて投与される、請求項１から４のいずれか１項に記載の使用のための組成物。
【請求項６】
前記組成物が、体重１ｋｇ当たり約３〜５０ミリグラムのグルカンが前記母動物に投与されるのに相当する量の前記組成物が前記母動物に投与される、請求項１〜５のいずれか１項に記載の組成物。
【請求項７】
前記組成物が、体重１ｋｇ当たり約２〜４０ミリグラムのフカンが前記母動物に投与されるのに相当する量の前記組成物が前記母動物に投与される、請求項１〜６のいずれか１項に記載の方法。
【請求項８】
前記動物が、ブタ、家禽、ウマ、ヒツジ、ウサギ、魚、イヌ、ネコおよびヒトから選択される単胃の動物である、請求項１〜７のいずれか１項に記載の使用のための組成物。
【請求項９】
少なくとも１つのグルカン、少なくとも１つのフカン、または少なくとも１つのグルカンおよび少なくとも１つのフカンを含む組成物であって、体重１ｋｇ当たり約３〜５０ミリグラムのグルカンが動物に投与されるのに相当する量を前記動物に投与することにより、または体重１ｋｇ当たり約２〜４０ミリグラムのフカンが前記動物に投与されるのに相当する量を前記動物に投与することにより、前記動物における感染性疾患、炎症性疾患、胃腸性疾患、または免疫性介在疾患を防ぎ、または治療するために使用のための、組成物。
【請求項１０】
前記母動物への前記組成物の投与が、前記子孫への直接投与により得られる利益と等しいレベルを前記子孫へ与える、請求項１に記載の使用のための組成物。
【請求項１１】
前記母動物への前記組成物の投与が、前記子孫および前記母動物の両方へ亢進を与える、請求項１に記載の使用のための組成物。
【請求項１２】
前記感染性疾患が、ウイルス、任意選択でノンエンベロープウイルス、任意選択でブタサーコウイルス、さらに任意選択でブタサーコウイルス２型、および／または前記ウイルス感染症がエンベロープウイルス、任意選択でトリインフルエンザにより引き起こされる、または関連する、請求項１に記載の使用のための組成物。
【請求項１３】
前記感染性疾患が、任意に、腸内細菌、サルモネラ、および大腸菌から選択される細菌の病原種により引き起こされる、または関連する、請求項１に記載の使用のための組成物。
【請求項１４】
炎症性疾患、胃腸性疾患、または免疫介在性疾患が、免疫不全状態、免疫機能不全、免疫調節不全、または免疫介在性炎症により特徴付けられる疾患を含む、請求項１に記載の使用のための組成物。
【請求項１５】
炎症性疾患、胃腸性疾患、または免疫介在性疾患が、自己免疫疾患、炎症性疾患、アトピー性疾患、任意選択でクーロン病、過敏性大腸症候群、大腸炎、乾癬、リウマチ性関節炎、乾癬性関節炎、若年性特発性関節炎、およびアトピー性皮膚炎などの障害または慢性状態を含む、請求項１に記載の使用のための組成物。
【請求項１６】
前記母動物の前記初乳または母乳における前記イムノグロブリンおよび粗タンパク質の濃度を増加させることにより、感染性疾患、炎症性疾患、胃腸性疾患、または免疫介在性疾患を防ぎ、または治療する、請求項１に記載の使用のための組成物。
【請求項１７】
胃粘膜を防ぎ、および／もしくは免疫系を刺激し、および／もしくは炎症促進性・抗炎症性サイトカインの発現を変え、および／もしくは免疫細胞機能を変え、および／もしくはシグナリングタンパク質の分泌および／または発現を変えることにより、感染性疾患、炎症性疾患、胃腸性疾患、または免疫介在性疾患を防ぎ、または治療する、請求項１に記載の使用のための組成物。
【手続補正書】
【提出日】平成25年5月16日(2013.5.16)
【手続補正１】
【補正対象書類名】特許請求の範囲
【補正対象項目名】全文
【補正方法】変更
【補正の内容】
【特許請求の範囲】
【請求項１】
ｍｉＲ−１０３および／またはｍｉＲ−１０７の核酸塩基配列と少なくとも９０％相補的な核酸塩基配列を有する修飾オリゴヌクレオチドを含む化合物であって、
（ｉ）被験者における、少なくとも１つの代謝障害、および／もしくは、代謝障害に関連する少なくとも１つの症状を治療すること、または、
（ｉｉ）被験者における、少なくとも１つの代謝障害、および／もしくは、代謝障害に関連する少なくとも１つの症状の開始を防止するかまたは遅延すること、
における使用のためであり、
前記ｍｉＲ−１０３の核酸塩基配列は配列番号１であり、前記ｍｉＲ−１０７の核酸塩基配列は配列番号２である、化合物。
【請求項２】
前記少なくとも１つの代謝障害は、糖尿病前症、糖尿病、代謝性症候群、肥満症、糖尿病性異脂肪血症、高脂血症、高血圧症、高トリグリセリド血症、高脂肪酸血症、高コレステロール血症、および高インスリン血症から選択される、ならびに／または、前記代謝障害に関連する少なくとも１つの症状が、血糖値上昇、糖新生亢進、インスリン抵抗性、糖耐性減損、および過剰な体脂肪から選択される、請求項１記載の化合物。
【請求項３】
前記治療は、
（ｉ）被験者における血糖値を低減すること、または、
（ｉｉ）被験者における血糖値上昇の開始を防止するかまたは遅延すること、
を含む、請求項１または２に記載の化合物。
【請求項４】
前記治療は、
（ｉ）被験者におけるインスリン感受性を改善すること、または、
（ｉｉ）インスリン抵抗性の開始を防止するかまたは遅延すること、
を含む、請求項１または２に記載の化合物。
【請求項５】
前記治療は、被験者における糖耐性を改善することを含む、請求項１または２に記載の化合物。
【請求項６】
前記治療は、被験者における糖新生を低減することを含む、請求項１または２に記載の化合物。
【請求項７】
前記治療は、被験者における脂肪細胞分化を増大することを含む、請求項１または２に記載の化合物。
【請求項８】
前記修飾オリゴヌクレオチドは、１２〜３０連結ヌクレオシドからなる、請求項１〜７のいずれかに記載の化合物。
【請求項９】
前記修飾オリゴヌクレオチドは、７〜１２連結ヌクレオシドからなる、請求項１〜７のいずれかに記載の化合物。
【請求項１０】
前記修飾オリゴヌクレオチドの前記核酸塩基配列は、
（ｉ）前記ｍｉＲ−１０３の核酸塩基配列と少なくとも９５％または１００％相補的である、および／または、
（ｉｉ）前記ｍｉＲ−１０７の核酸塩基配列と少なくとも９５％または１００％相補的である、
請求項１〜９のいずれかに記載の化合物。
【請求項１１】
前記修飾オリゴヌクレオチドは、少なくとも１つの修飾糖を含む、請求項１〜１０のいずれかに記載の化合物。
【請求項１２】
前記修飾糖は、それぞれ、２’−Ｏ−メトキシエチル糖、２’−フルオロ糖、２’−Ｏ−メチル糖および二環式糖部分から独立して選択される請求項１１記載の化合物。
【請求項１３】
前記修飾オリゴヌクレオチドは、少なくとも１つの修飾ヌクレオシド間結合を含む、請求項１〜１２のいずれかに記載の化合物。
【請求項１４】
前記オリゴヌクレオチドの前記ヌクレオシド間結合は、それぞれ、修飾ヌクレオシド間結合である、請求項１３記載の化合物。
【請求項１５】
前記修飾ヌクレオシド間結合は、ホスホロチオエートヌクレオシド間結合である、請求項１３または１４に記載の化合物。
【請求項１６】
治療を必要とする被験者の同定方法であって、
前記被験者から得られる試料中のマイクロＲＮＡの量を対照試料中のマイクロＲＮＡの量と比較すること（この場合、前記マイクロＲＮＡはｍｉＲ−１０３またはｍｉＲ−１０７であり、そして前記被験者から得られる試料中のより多い量のマイクロＲＮＡは、前記被験者がｍｉＲＮＡ−１０３／１０７と相補的な修飾オリゴヌクレオチドを含む化合物による治療を必要とする、ということを示す）
を包含する方法。
【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
アルギニンとカルビドパとを含む薬学的に許容可能な液体組成物であって、該組成物は約１％又は約２％から約６％重量のカルビドパを含み；該液体組成物は２５℃で約６．５から約９．５のｐＨを有し；及び、該液体組成物は４８時間以上の間、２５℃で実質的に安定である、上記液体組成物。
【請求項２】
カルビドパ及びアルギニンは、約１：０．５〜約１：２．５、又は約１：１〜約１：１．２から選択されるモル比を有する、請求項１に記載の薬学的に許容可能な液体組成物。
【請求項３】
レボドパをさらに含む、請求項１に記載の薬学的に許容可能な液体組成物。
【請求項４】
レボドパ及びアルギニンは、約１：１．５〜約１：２．５のモル比を有する、請求項３に記載の薬学的に許容可能な液体組成物。
【請求項５】
約２％から約６％重量のカルビドパ、及びアルギニンを含む、請求項１に記載の薬学的に許容可能な液体組成物であって、該液体組成物のｐＨは２５℃で約８から約９であり；該カルビドパ及びアルギニンは、約１：０．５〜約１：２．５のモル比を有し；並びに、該液体組成物は４８時間以上の間、２５℃で安定である、上記液体組成物。
【請求項６】
少なくとも約４重量％のレボドパを含む、請求項５に記載の薬学的に許容可能な液体組成物。
【請求項７】
カルビドパ、レボドパ、及びアルギニンを含む、請求項３に記載の薬学的に許容可能な液体組成物であって、該レボドパ及びアルギニンは、約１：１．５〜約１：２．５のモル比を有し；該液体組成物は、約２％重量のカルビドパを含み；及び、該液体組成物のｐＨは２５℃で約８．５から９．５である、上記液体組成物。
【請求項８】
１％重量のカルビドパを含み、並びにレボドパ、及びアルギニンをさらに含む、請求項３に記載の薬学的に許容可能な液体組成物であって、該レボドパ及びアルギニンは、約１：１．５〜約１：２．５のモル比を有し；及び、該液体組成物のｐＨは２５℃で約８．５から９．５である、上記液体組成物。
【請求項９】
Ｎ−メチルピロリドン、ポリビニルピロリドン、プロピレングリコール、酸化防止剤、又はそれらの組み合わせから選択される薬学的に許容可能な賦形剤を更に含む、請求項１から８までのいずれか一項に記載の薬学的に許容可能な液体組成物。
【請求項１０】
水を更に含む、請求項１から９までのいずれか一項に記載の薬学的に許容可能な液体組成物。
【請求項１１】
エンタカポン又はトルカポンを更に含む、請求項１から１０までのいずれか一項に記載の薬学的に許容可能な液体組成物。
【請求項１２】
ａ）請求項１から１１までのいずれか一項に記載の液体組成物を含む、連続投与に適した第１の組成物と、ｂ）レボドパ又はその薬学的に許容可能な塩若しくはエステルを含む、経口投与に適した第２の組成物を含むキット。
【請求項１３】
連続投与用の前記第１の組成物は、経皮、皮内、皮下、静脈内、又は十二指腸内投与用である、請求項１２に記載のキット。
【請求項１４】
前記連続投与が注入ポンプの使用を含む、請求項１３に記載のキット。
【請求項１５】
第２の組成物は、カルビドパ、ベンセラジド、エンタカポン、トルカポン、又はそれらの組み合わせを更に含む、請求項１２から１４のいずれか一項に記載のキット。
【請求項１６】
第２の組成物はレボドパの薬学的に許容可能な塩を含む、請求項１２から１５までのいずれか一項に記載のキット。
【請求項１７】
第２の組成物はレボドパのアルギニン塩を含む、請求項１６に記載のキット。
【請求項１８】
不穏下肢症候群、パーキンソン病、続発性パーキンソン症候群、ハンチントン病、パーキンソン様症候群、進行性核上性麻痺、多系統萎縮症、又は筋萎縮性側索硬化症から選択される神経学的障害の治療における使用のための、請求項１２から１７のいずれか一項に記載のキット。
【請求項１９】
パーキンソン病の治療における使用のための、請求項１８に記載のキット。
【請求項２０】
カルビドパのアルギニン塩。
【請求項２１】
請求項２０に記載のアルギニン塩を含み、任意選択で、薬学的に許容可能な賦形剤をさらに含む、薬学的に許容可能な液体組成物。
【手続補正書】
【提出日】平成25年9月24日(2013.9.24)
【手続補正１】
【補正対象書類名】特許請求の範囲
【補正対象項目名】全文
【補正方法】変更
【補正の内容】
【特許請求の範囲】
【請求項１】
最少１つのダイナミン環安定剤、あるいはダイナミン環安定剤のプロドラッグまたは薬学的に許容できる塩の有効量を含む、腎疾患または蛋白尿を特徴とする病気を予防または治療するための組成物。
【請求項２】
前記ダイナミン環安定剤が螺旋状ダイナミンＧＴＰアーゼインヒビターである、請求項１に記載の組成物。
【請求項３】
前記ダイナミン環安定剤がダイナミンＧＴＰアーゼ活性のインヒビターでない、請求項１に記載の組成物。
【請求項４】
前記ダイナミン環安定剤がダイナミン環の形成を増進する化合物である、請求項１〜３のいずれか１項に記載の組成物。
【請求項５】
前記ダイナミン環安定剤がダイナミン環解体を抑制する化合物である、請求項１〜４のいずれか１項に記載の組成物。
【請求項６】
前記ダイナミン環安定剤が、螺旋状ダイナミンＧＴＰアーゼインヒビター類、二量体チルホスチン類、二量体ベンジリデンマロニトリルチルホスチン類、イミノクロメン類、単量体チルホスチン類および３−置換ナフタレン−２−カルボン酸（ベンジリデン）ヒドラジド類からなる群から選択される、請求項１〜５のいずれか１項に記載の組成物。
【請求項７】
前記腎疾患または病気が、ネフローゼ症候群、慢性腎疾患、糸球体疾患、糸球体機能障害、感染後糸球体腎炎およびメサンギウム増殖性糸球体腎炎を含む糸球体腎炎、糖尿病性腎症を含む腎症、有足細胞損傷および有足細胞傷害を含む有足細胞機能障害、ポドサイトパシー、有足細胞足突起消失、びまん性メサンギウム硬化症、先天性ネフローゼ症候群（たとえば、フィンランド型の（ＣＮＳＦ））、アルポート症候群および異型（Ａｌｐｏｒｔ＋）、微小変化型疾患、巣状分節性糸球体硬化症（ＦＳＧＳ）、崩壊性糸球体腎症、免疫および炎症性糸球体腎症、高血圧性腎症、および加齢性糸球体腎症からなる群から選択される、請求項１〜６のいずれか１項に記載の組成物。
【請求項８】
前記疾患または病気が、ネフローゼ症候群、慢性腎疾患、糸球体疾患、有足細胞機能障害、および有足細胞足突起消失から選択される、請求項７に記載の組成物。
【請求項９】
有効量のダイナミン環安定剤、あるいはダイナミン環安定剤のプロドラッグまたは薬学的に許容できる塩を含む、個体の細胞内で、ダイナミン環形成および／またはダイナミン環の維持を増進するための組成物。
【請求項１０】
前記ダイナミン環安定剤が螺旋状ダイナミンＧＴＰアーゼインヒビターである、請求項９に記載の組成物。
【請求項１１】
前記ダイナミン環安定剤がダイナミンＧＴＰアーゼ活性のインヒビターでない、請求項９に記載の組成物。
【請求項１２】
前記ダイナミン環安定剤が、ダイナミン環の形成を増進する化合物である、請求項９〜１１のいずれか１項に記載の組成物。
【請求項１３】
前記ダイナミン環安定剤がダイナミン環解体を抑制する化合物である、請求項９〜１２のいずれか１項に記載の組成物。
【請求項１４】
前記ダイナミン環安定剤が、螺旋状ダイナミンＧＴＰアーゼインヒビター類、二量体チルホスチン類、二量体ベンジリデンマロニトリルチルホスチン類、イミノクロメン類、単量体チルホスチン類および３−置換ナフタレン−２−カルボン酸（ベンジリデン）ヒドラジド類からなる群から選択される、請求項９〜１３のいずれか１項に記載の組成物。
【請求項１５】
有効量の少なくとも１つのダイナミン環安定剤、あるいはダイナミン環安定剤のプロドラッグまたは薬学的に許容できる塩を含む、個体の有足細胞機能障害の予防または治療のための組成物。
【請求項１６】
前記有足細胞機能障害が、前記有足細胞の足突起消失を特徴とする、請求項１５に記載の組成物。
【請求項１７】
有足細胞足突起の形成を維持および／または誘導するための、請求項１５または１６に記載の組成物。
【請求項１８】
有効量の少なくとも１つのダイナミン環安定剤、あるいは前記ダイナミン環安定剤のプロドラッグまたは薬学的に許容できる塩を含む、個体の細胞内で、接着斑および／またはアクチン細胞骨格を誘導するための組成物。
【請求項１９】
アクチンストレスファイバーの形成を誘導するための、請求項１８に記載の組成物。
【請求項２０】
被検物質を提供すること；
ダイナミン環の形成を増進するのに好適な条件下で、前記被検物質をダイナミン蛋白質とインキュベートすること；および
ダイナミン環の蓄積の増進かつ／またはダイナミン環の解体の抑制が基礎的なダイナミンＧＴＰアーゼ活性を増強するものであって、
前記被検物質が、ダイナミン環の蓄積を増進しかつ／またはダイナミン環の解体を抑制するかどうかを評価すること；
を含む、ダイナミン環安定剤として使用するための被検物質をスクリーニングするためのインビトロ方法。
【請求項２１】
前記ダイナミンインヒビターが、ダイナミン環の蓄積を増進するか、あるいはダイナミン環の解体を抑制するかどうかの前記評価が、基礎的なダイナミンＧＴＰアーゼ活性の増強についてアッセイすることを含む、請求項２０に記載のインビトロ方法。
【請求項２２】
ダイナミン環が有足細胞中に維持されかつ／または蓄積するかどうかを評価するために、有足細胞をダイナミンインヒビターで処理することを含む、請求項２０に記載のインビトロ方法。
【請求項２３】
ダイナミン環が有足細胞に蓄積するかどうかの前記評価が、ダイナミンインヒビターが有足細胞足突起の形成を誘導するか否かを決定することによって査定される、請求項２２に記載のインビトロ方法。
【請求項２４】
有効量のダイナミン環安定剤、あるいはダイナミン環安定剤のプロドラッグまたは薬学的に許容できる塩で細胞もしくは有足細胞を処理する工程を含む、前記細胞中内でダイナミン環の形成および／もしくはダイナミン環の維持を増進するための、ならびに／または、前記細胞内で接着斑および／もしくはアクチン細胞骨格形成を誘導するための、ならびに／または、前記有足細胞における足突起消失を治療するためのインビトロ方法。
【請求項２５】
ダイナミン環形成および／またはダイナミン環の維持を、それを必要としている個体の細胞で増進するための薬剤の製造における、少なくとも１つのダイナミン環安定剤、あるいはダイナミン環安定剤のプロドラッグまたは薬学的に許容できる塩の使用。
【請求項２６】
腎疾患または蛋白尿を特徴とする病気を予防または治療するための薬剤の製造における、少なくとも１つのダイナミン環安定剤、あるいはダイナミン環安定剤のプロドラッグまたは薬学的に許容できる塩の使用。
【請求項２７】
接着斑および／またはアクチン細胞骨格形成を、それを必要としている個体の細胞内で誘導するための薬剤の製造における、少なくとも一つのダイナミン環安定剤あるいはダイナミン環安定剤のプロドラッグまたは薬学的に許容できる塩の使用。
【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
下記の一般式Iのオルガノシラン：
(HO)2 R1Si − Z − Sm − R2
(式中、R1は、同一または異なるものであって、各々、1〜18個の炭素原子を有する、線状または枝分れのアルキル、シクロアルキルまたはアリールから選ばれる一価の炭化水素系基を示し；
R2は、1〜30個の炭素原子を有する、線状または枝分れのアルキル、シクロアルキルまたはアリールから選ばれる一価の炭化水素系基を示し；
Zは、1〜18個の炭素原子を含む二価の結合基を示し；そして、
mは、2以上の数である)。
【請求項２】
mが、2に等しい、請求項１記載のオルガノシラン。
【請求項３】
Zが、O、SおよびNから選ばれる１個以上のヘテロ原子を含有する、請求項１および２のいずれか１項記載のオルガノシラン。
【請求項４】
上記式中、R1が、メチル、エチル、ｎ‐プロピルおよびイソプロピルから、好ましくはメチルおよびエチルから選ばれ；Zが、C1〜C18アルキレンおよびC6〜C12アリーレンから選ばれる、請求項１および２のいずれか１項記載のオルガノシラン。
【請求項５】
Zが、C1〜C10アルキレンから選ばれる、請求項４記載のオルガノシラン。
【請求項６】
R1が、メチルである、請求項４又は５記載のオルガノシラン。
【請求項７】
R2が、1〜18個の炭素原子を有するアルキルから選ばれる、請求項４〜６のいずれか１項記載のオルガノシラン。
【請求項８】
mが2に等しく、R1がメチルであり、R2がオクチルであり、Zがプロピレンである、請求項４〜７のいずれか１項記載のオルガノシラン。
【請求項９】
下記の工程を含む、請求項１〜８のいずれか１項記載のオルガノシランの取得方法：
・ジアゾジカルボキシレートに、下記の式(II)のメルカプタンを付加してチオヒドラジンを形成させる工程：
R2‐SH
(式中、R2は、式(I)におけるのと同じ意味を有する)；
・得られたチオヒドラジンを、下記の式(III)の第２のメルカプタンで置換する工程：
(R3O)2 R1 Si‐Z‐SH
(式中、R1およびZは、式(I)と同じ意味を有し；R3は、同一または異なるものであって、1〜6個の炭素原子を有する、好ましくは1〜3個の炭素原子を有するアルキルから選ばれる一価の炭化水素系基を示す)；
・式(I)の目的オルガノシランを得ることを可能にする加水分解を、酸性媒質中で実施する工程。
【請求項１０】
請求項１〜８のいずれか１項記載のオルガノシランのカップリング剤としての使用。